(57)【要約】      （修正有）【課題】ユーザがスイッチング損失と電流のＴＨＤとのトレードオフを制御しながら、与えられた不連続変調区間で力率に関係なく常に最小損失を有するようにするインバータ制御装置を提供する。【解決手段】インバータ制御装置は、オフセット電圧指令計算部１０と極電圧指令計算部２０を含む。極電圧指令計算部２０は、オフセット電圧指令と相電圧指令８Ａを加算して極電圧指令８Ｂを生成する。オフセット電圧指令計算部１０は、第１の座標変換部、回転変換部、角変換部、第２の座標変換部及びオフセット電圧指令生成部を含む。【選択図】図８
2019213442.tif 000002
【特許請求の範囲】
【請求項１】
直流端電圧を交流電圧に変換して、３相の上部及び下部スイッチング素子で構成されるインバータ部；
前記直流端電圧、電圧変調指数、不連続変調区間を調節できる不連続変調角、及び相電圧指令と前記インバータ部の出力電流の位相差を用いて３相の相電圧指令を極電圧指令に変換する変換部；及び、
三角搬送波を用いて極電圧指令から前記上部及び下部スイッチング素子を制御する信号を生成する制御部を含むインバータ制御装置。
【請求項２】
前記変換部は、
前記相電圧指令、前記直流端電圧、前記電圧変調指数、前記不連続変調角、及び前記位相差からオフセット電圧指令を計算するオフセット電圧指令計算部；及び、
前記相電圧指令及び前記オフセット電圧指令から前記極電圧指令を計算する極電圧指令計算部を含む、請求項１に記載のインバータ制御装置。
【請求項３】
前記オフセット電圧指令計算部は、
３相の相電圧指令を静止座標系のｄｑ軸電圧指令に変換する第１の座標変換部；
前記相電圧指令と電流の位相差を仮想の位相差に変換する角変換部；
前記ｄｑ軸電圧指令を前記仮想の位相差だけ回転変換する回転変換部；
回転変換したｄｑ軸電圧指令を仮想の相電圧指令に変換する第２の座標変換部；及び、
前記相電圧指令、前記直流端電圧、前記電圧変調指数、前記不連続変調角、及び前記仮想の相電圧指令を用いて前記オフセット電圧指令を生成するオフセット電圧指令生成部を含む、請求項２に記載のインバータ制御装置。
【請求項４】
前記オフセット電圧指令生成部は、
前記相電圧指令の最大値及び最小値を決定する第１の決定部；
前記仮想の相電圧指令の最大値及び最小値を決定する第２の決定部；及び、
前記直流端電圧、前記電圧変調指数、前記不連続変調角、前記相電圧指令の最大値及び最小値、及び前記仮想の相電圧指令の最大値及び最小値を用いて前記オフセット電圧指令を決定する第３の決定部を含む、請求項３に記載のインバータ制御装置。
【請求項５】
前記第３の決定部は、
下記の数式によって前記オフセット電圧指令を決定する、請求項４に記載のインバータ制御装置。
【数１】
2019213442.tif 000068
2019213442.tif 000069
【請求項６】
2019213442.tif 000070
【請求項７】
2019213442.tif 000071
【請求項８】
2019213442.tif 000072
【請求項９】
前記制御部は、
前記極電圧指令と三角搬送波を比較して、前記極電圧指令と前記三角搬送波の差が正数であれば、前記上部スイッチング素子のスイッチング関数で１を出力して、負数であれば、０を出力する比較部；及び、
前記比較部の出力を反転して、前記下部スイッチング素子のスイッチング関数で出力する反転部を含む、請求項１に記載のインバータ制御装置。
【請求項１０】
2019213442.tif 000073
【発明の詳細な説明】
【技術分野】
【０００１】
本発明は、インバータ制御装置に関する。
【背景技術】
【０００２】
電力用半導体技術の発展により、高速スイッチングの可能な電力素子を用いて可変電圧可変周波数（Ｖａｒｉａｂｌｅ  Ｖｏｌｔａｇｅ  ａｎｄ  Ｖａｒｉａｂｌｅ  Ｆｒｅｑｕｅｎｃｙ，ＶＶＶＦ）の電源を比較的に具現しやすくなった。ＶＶＶＦを発生させる回路として、主に直流電圧源を入力として交流可変電圧源を発生させる電圧型インバータが使用される。
【０００３】
かかる電圧型インバータは、エネルギー貯蔵システム（ｅｎｅｒｇｙ ｓｔｏｒａｇｅ ｓｙｓｔｅｍ，ＥＳＳ）、太陽光（ｐｈｏｔｏ−ｖｏｌｔａｉｃ，ＰＶ）インバータ、電動機駆動（ｍｏｔｏｒ  ｄｒｉｖｅ）技術に主に使用される。
【０００４】
このような電圧型インバータを適用するために様々な電圧変調方式が開発されて来た。電圧変調方式としては、正弦波電圧変調（ｓｉｎｕｓｏｉｄａｌ  ｐｕｌｓｅ  ｗｉｄｔｈ  ｍｏｄｕｌａｔｉｏｎ，ＳＰＷＭ）、空間ベクトル電圧変調（ｓｐａｃｅ  ｖｅｃｔｏｒ ＰＷＭ，ＳＶＰＷＭ）等が産業界で主に使用される。上記ＳＰＷＭとＳＶＰＷＭは、連続電圧変調方式で区分される。
【０００５】
一方、電力用半導体のスイッチング損失を減らすために不連続電圧変調方式も用いられるが、６０°不連続電圧変調（ＤＰＷＭ）方式が最も代表的である。このような不連続電圧変調方式は、オフセット電圧と三角波比較電圧変調方式を用いた電圧変調方式でオフセット電圧を好適に選択することによって具現することができる。
【０００６】
これと違って、不連続電圧変調方式として、不連続電圧変調区間を調節することによって不連続電圧変調を行う方式が開示されている。この技術は、不連続電圧変調区間を自由に調節することによって、各運転点で最適の電流の全高調波歪（Ｔｏｔａｌ  Ｈａｒｍｏｎｉｃ Ｄｉｓｔｏｒｔｉｏｎ，ＴＨＤ）及び損失を達成することができる。この技術の場合、力率が１であるとき、常に最小損失を有するため、力率に関係なく最小損失を有するようにする必要がある。
【発明の概要】
【発明が解決しようとする課題】
【０００７】
本発明が解決しようとする技術的課題は、不連続変調区間を調節することによって、ユーザがスイッチング損失と電流のＴＨＤとのトレードオフを制御しながら、与えられた不連続変調区間で力率に関係なく常に最小損失を有するようにするインバータ制御装置を提供することである。
【課題を解決しようとする手段】
【０００８】
上記のような技術的課題を解決するため、本発明の一実施形態のインバータ制御装置は、直流端電圧を交流電圧に変換して、３相の上部及び下部スイッチング素子で構成されるインバータ部；前記直流端電圧、電圧変調指数、不連続変調区間を調節できる不連続変調角、及び相電圧指令と電流の位相差を用いて３相の相電圧指令を極電圧指令に変換する変換部；及び三角搬送波を用いて極電圧指令から前記上部及び下部スイッチング素子を制御する信号を生成する制御部を含んでいてもよい。
【０００９】
本発明の一実施形態において、前記変換部は、前記相電圧指令、前記直流端電圧、前記電圧変調指数、前記不連続変調角、及び前記位相差からオフセット電圧指令を計算するオフセット電圧指令計算部；及び前記相電圧指令及び前記オフセット電圧指令から前記極電圧指令を計算する極電圧指令計算部を含んでいてもよい。
【００１０】
本発明の一実施形態において、前記オフセット電圧指令計算部は、３相の相電圧指令を静止座標系のｄｑ軸電圧指令に変換する第１の座標変換部；前記相電圧指令と電流の位相差を仮想の位相差に変換する角変換部；前記ｄｑ軸電圧指令を前記仮想の位相差だけ回転変換する回転変換部；回転変換したｄｑ軸電圧指令を仮想の相電圧指令に変換する第２の座標変換部；及び前記相電圧指令、前記直流端電圧、前記電圧変調指数、前記不連続変調角、及び前記仮想の相電圧指令を用いて前記オフセット電圧指令を生成するオフセット電圧指令生成部を含んでいてもよい。
【００１１】
本発明の一実施形態において、前記オフセット電圧指令生成部は、前記相電圧指令の最大値及び最小値を決定する第１の決定部；前記仮想の相電圧指令の最大値及び最小値を決定する第２の決定部；及び前記直流端電圧、前記電圧変調指数、前記不連続変調角、前記相電圧指令の最大値及び最小値、及び前記仮想の相電圧指令の最大値及び最小値を用いて前記オフセット電圧指令を決定する第３の決定部を含んでいてもよい。
【００１２】
本発明の一実施形態において、前記第３の決定部は、下記の数式によって前記オフセット電圧指令を決定することができる。
【００１３】
【数１】
2019213442.tif 000003
【００１４】
2019213442.tif 000004
【００１５】
2019213442.tif 000005
【００１６】
2019213442.tif 000006
【００１７】
2019213442.tif 000007
【００１８】
2019213442.tif 000008
【００１９】
本発明の一実施形態において、前記制御部は、前記極電圧指令と三角搬送波を比較して、前記極電圧指令と前記三角搬送波の差が正数であれば、前記上部スイッチング素子のスイッチング関数で１を出力して、陰数であれば、０を出力する比較部；及び前記比較部の出力を反転して、前記下部スイッチング素子のスイッチング関数で出力する反転部を含んでいてもよい。
【００２０】
2019213442.tif 000009
【発明の効果】
【００２１】
上記のような本発明は、実際の相電圧指令を回転変換を用いて仮想の相電圧指令を生成し、この回転変換に用いられた回転角は、電圧指令と電流の位相差と不連続変調角を用いて決定されてもよい。また、仮想の相電圧指令と実際の相電圧指令及び不連続変調角を用いて電圧変調を行うことで、不連続変調区間を調節することによって、好適にスイッチング損失と電流のＴＨＤとのトレードオフを制御することができる。のみならず、与えられた不連続変調区間で力率に関係なく常に最小損失を示すようにする効果がある。
【図面の簡単な説明】
【００２２】
【図１】２レベル３相電圧型インバータの概略的な回路図である。
【図２】図１のＰＷＭ制御部が三角波比較電圧変調方式を説明するための一例示図である。
【図３】スイッチング関数による出力相電圧を空間上にベクトルで示した例示図である。
【図４】相電圧指令を空間ベクトルに電圧指令ベクトルＶ＊で示したとき、ａ相を基準として６０°不連続電圧変調方式の動作を示す。
【図５】不連続電圧変調方式の他の具現例を説明するための例示図である。
【図６】他の不連続電圧変調方式であるＡＤＰＷＭ（Ａｄｊｕｓｔａｂｌｅ Ｄｉｓｃｏｎｔｉｎｕｏｕｓ ＰＷＭ）を説明するための例示図である。
【図７】ＡＤＰＷＭを具現した構成図である。
【図８】本発明の一実施形態のインバータ制御装置において、相電圧指令を極電圧指令に変更することを説明するための一例示図である。
【図９】図８のオフセット電圧指令計算部の詳細構成図である。
【図１０】図９のオフセット電圧指令生成部の一実施形態である詳細構成図である。
【図１１】本発明の一実施形態において、電圧指令と電流の位相差Φと、仮想の相電圧指令生成に用いられる角情報である仮想の位相差ΦＶの関係を説明するための一例示図である。
【図１２】図９の角変換部の動作を説明するための一例示図である。
【図１３】本発明の一実施形態のインバータ制御装置のスイッチング損失を説明するための一例示図である。
【発明を実施するための形態】
【００２３】
本発明の構成及び効果を十分に理解するため、添付の図面を参照して本発明の好ましい実施形態を説明する。しかし、本発明は、以下に開示する実施形態に限定されるものではなく、様々な形態に具現することができ、種々の変更を加えることができる。但し、本実施形態に対する説明は、本発明の開示を完全にして、本発明が属する技術分野で通常の知識を有する者に発明の範疇を完全に知らせるために提供されるものである。添付の図面における構成要素は、説明の便宜のためその大きさを実際より拡大して示したものであり、各構成要素の割合は、誇張するか縮小してもよい。
【００２４】
「第１」、「第２」等の用語は、多様な構成要素を説明するために使われるが、前記構成要素は、前記用語によって限定されてはならない。前記用語は、一つの構成要素を他の構成要素から区別する目的にのみ使われる。例えば、本発明の権利範囲を脱しないながら、「第１の構成要素」は「第２の構成要素」に命名されてもよいし、同様、「第２の構成要素」も「第１の構成要素」に命名されてもよい。また、単数の表現は、文脈上明白に別に表現しない限り、複数の表現を含む。本発明の実施形態において使われる用語は、別に定義されない限り、該技術分野で通常の知識を有する者に通常知られた意味に解釈される。
【００２５】
以下では、図２ａ〜図５を参照して、本発明の一実施形態によるインバータ制御装置及び方法を説明する。
【００２６】
図１は、２レベル３相電圧型インバータの概略的な回路図であって、ＥＳＳ、太陽光インバータ、電動機の駆動に用いられるインバータの一例である。
【００２７】
2019213442.tif 000010
【００２８】
３相の電圧指令は、パルス幅変調（ＰＷＭ）制御部１１０に入力される。前記ＰＷＭ制御部１１０は、インバータ部１０２に印加されるスイッチング関数を決定してインバータ部１０２に提供する。
【００２９】
前記ＰＷＭ制御部１１０の三角波比較変調を図２を参照して説明する。
【００３０】
図２は、図１のＰＷＭ制御部が三角波比較電圧変調方式を説明するための一例示図である。図２の（ａ）は、極電圧の構成を説明するための一例示図であり、（ｂ）は、三角波比較電圧変調方式を示したものである。
【００３１】
2019213442.tif 000011
【００３２】
【数２】
2019213442.tif 000012
【００３３】
オフセット電圧は、３相の極電圧に共通して存在する成分である。オフセット電圧は、零相分電圧を意味するため、線間電圧の合成には影響を及ぼさない。
【００３４】
2019213442.tif 000013
【００３５】
2019213442.tif 000014
【００３６】
【数３】
2019213442.tif 000015
【００３７】
【数４】
2019213442.tif 000016
【００３８】
【数５】
2019213442.tif 000017
【００３９】
反転部１１４は、インバータ部１０２の下部スイッチング素子のスイッチング関数を求めることができる。下部スイッチング素子は、上部スイッチング素子と相補的に動作するため、比較部１１３の出力を反転して求めることができる。
【００４０】
図３は、スイッチング関数による出力相電圧を空間上にベクトルで示した例示図である。スイッチング関数による出力相電圧は、下記の数式５のとおりである。
【００４１】
【数６】
2019213442.tif 000018
【００４２】
2019213442.tif 000019
【００４３】
図２のオフセット電圧指令計算部１１１が計算するオフセット電圧指令は、非常に様々である。
【００４４】
正弦波電圧変調方式（ＳＰＷＭ）におけるオフセット電圧指令は、次の数式６のとおりである。
【００４５】
【数７】
2019213442.tif 000020
【００４６】
空間ベクトル電圧変調方式（ＳＶＰＷＭ）におけるオフセット電圧指令は、次の数式７のとおりである。
【００４７】
【数８】
2019213442.tif 000021
【００４８】
2019213442.tif 000022
【００４９】
一方、数式６及び数式７のオフセット電圧指令は、搬送波の一週期の間、あらゆる相のスイッチング関数が変わるようになる連続電圧変調方式である。
【００５０】
スイッチング損失を減らすために、１つの相のスイッチング関数が変わらない電圧変調方式を不連続電圧変調方式と言う。代表的な不連続電圧変調方式は、次のとおりである。
【００５１】
取りあえず、相電圧指令は、下記の数式８のように、相電流は、下記の数式９のように定義されると仮定する。
【００５２】
【数９】
2019213442.tif 000023
【００５３】
【数１０】
2019213442.tif 000024
【００５４】
2019213442.tif 000025
【００５５】
代表的な不連続電圧変調方式である６０°不連続電圧変調方式（ＤＰＷＭ）は、交流周波数の周期を３６０°としたとき、相電圧指令の最大値を基準として６０°のスイッチング不連続区間を有する方式であって、当該方式のオフセット電圧指令は、次の数式１０のように与えられる。このようなＤＰＷＭは、相電圧指令と相電流位相差φが０°であるとき、スイッチング損失を最小限にする電圧変調方式である。
【００５６】
【数１１】
2019213442.tif 000026
【００５７】
2019213442.tif 000027
【００５８】
図４の陰影領域で確認するように、ａ相の相電圧指令が正の値であり、その絶対値が３相のうち最大である場合、ａ相のスイッチング関数Ｓａは、１となり、当該区間の間、常にオン状態である。また、ａ相の相電圧指令が負の値であり、その絶対値が３相のうち最大である場合、ａ相のスイッチング関数Ｓａは、０となり、当該区間の間、常にオフ状態となる。
【００５９】
このような不連続電圧変調方式は、スイッチング損失を減少させるが、電流の全高調波歪（ＴＨＤ）が増加するという短所が存在する。連続電圧変調方式は、電流のＴＨＤが不連続電圧変調方式に比べて低い。しかし、そのスイッチング損失が増加するという短所が存在する。
【００６０】
また、既存のオフセット電圧指令を用いた不連続電圧変調方式を用いる場合、常に不連続電圧変調区間が基本派の一週期の１／３である１２０°と定める。これによって、通常、電圧変調指数が低いとき、不連続電圧変調を適用する際、電流のＴＨＤは、非常に大きい。
【００６１】
一方、不連続変調区間を調節することによって、スイッチング損失と電流のＴＨＤとの好適な選択のための自由度を提供する。これによって、電圧変調指数が低い領域において、スイッチング損失を連続電圧変調方式に比べて減少させる。また、不連続電圧変調方式に比べて電流のＴＨＤを減少させる方法が開示されている。
【００６２】
2019213442.tif 000028
【００６３】
電圧変調指数は、次の数式１１のとおりに定義される。
【００６４】
【数１２】
2019213442.tif 000029
【００６５】
2019213442.tif 000030
【００６６】
従って、ａ相の電圧指令である５Ａが５Ｅより大きいとき、ａ相のスイッチング関数は、常に１となる。また、５Ａが５Ｅの負の値より小さい場合、常に０となる。これは、ｂ相の電圧指令である５Ｂ、ｃ相の電圧指令である５Ｃの場合も同様である。
【００６７】
従って、６０°不連続電圧変調方式の具現は、次の数式１２のとおりに再定義することができる。
【００６８】
【数１３】
2019213442.tif 000031
【００６９】
2019213442.tif 000032
【００７０】
一方、図６は、他の不連続電圧変調方式であるＡＤＰＷＭ（Ａｄｊｕｓｔａｂｌｅ  Ｄｉｓｃｏｎｔｉｕｎｏｕｓ ＰＷＭ）を説明するための例示図である。
【００７１】
2019213442.tif 000033
【００７２】
また、図６において、６Ｆは、特定の相がスイッチング動作をしない区間を意味する。６Ｇは、特定の相が正常にスイッチング動作をする区間を意味する。ａ相の電圧指令である６Ａが６Ｅより大きい場合、ａ相のスイッチング関数は、常に１となり、スイッチング動作をしない区間である６Ｆで動作する。６Ａが６Ｅの負の値より小さい場合、ａ相のスイッチング関数は、常に０となり、同様、スイッチング動作をしない区間である６Ｆで動作する。これは、ｂ相の電圧指令である６Ｂとｃ相の電圧指令である６Ｃの場合も同様である。
【００７３】
従って、ＡＤＰＷＭの具現は、次の数式１３のとおりに再定義することができる。
【００７４】
【数１４】
2019213442.tif 000034
【００７５】
2019213442.tif 000035
【００７６】
図７は、ＡＤＰＷＭを具現した構成図である。
【００７７】
オフセット電圧指令計算部７１１は、ＡＤＰＷＭのために３相の相電圧指令（７Ａ）、直流端電圧及び数式１３で定義されたｋを受信してオフセット電圧指令を計算する。また、極電圧指令計算部７１２は、相電圧指令（７Ａ）にオフセット電圧指令を加算して３相の極電圧指令（７Ｂ）を計算する。
【００７８】
上述した不連続電圧変調方式は、スイッチング損失を減少させるが、電流のＴＨＤが増加するという短所を有する。かかる短所を解決するために、不連続変調区間を調節することによって、ユーザが好適にスイッチング損失と電流のＴＨＤとのトレードオフ（ｔｒａｄｅ−ｏｆｆ）を制御できるという長所が存在する。
【００７９】
特に、電圧変調指数が小さい場合、スイッチング損失を減少するために不連続電圧変調方式を用いることができる。このとき、不連続電圧変調方式を用いる場合、電流のＴＨＤの悪化を考慮しなければならない。しかし、当該方法によって電圧変調指数が低い領域において、スイッチング損失を連続電圧変調方式に比べて減少させることができる。また、不連続電圧変調方式に比べて電流のＴＨＤを減少させることができる。
【００８０】
上記のような従来の技術は、電圧と電流の位相差が０°であり、力率１である状態で最小損失を有するという問題点がある。
【００８１】
本発明は、不連続変調区間を調節することによって、ユーザが好適にスイッチング損失と電流のＴＨＤとのトレードオフ（ｔｒａｄｅ−ｏｆｆ）を制御することができる。また、与えられた不連続変調区間で力率に関係なく常に最小損失を有するインバータ制御装置を提供することができる。
【００８２】
本発明のインバータ制御装置は、図１のようなＥＳＳ、太陽光インバータ、電動機の駆動に用いられる２レベル３相電圧型インバータに適用される。基本的に、オフセット電圧を適用した三角波比較電圧変調方式である。従って、極電圧指令と三角波を比較する図３は、本発明に同様に適用される。
【００８３】
2019213442.tif 000036
【００８４】
2019213442.tif 000037
【００８５】
図８は、本発明の一実施形態のインバータ制御装置において、相電圧指令を極電圧指令に変更することを説明するための一例示図である。
【００８６】
図面に示したように、本発明の一実施形態のインバータ制御装置は、オフセット電圧指令計算部１０と極電圧指令計算部２０を含んでいてもよい。
【００８７】
2019213442.tif 000038
【００８８】
極電圧指令計算部２０は、オフセット電圧指令と相電圧指令（８Ａ）を加算して極電圧指令（８Ｂ）を生成することができる。
【００８９】
図９は、図８のオフセット電圧指令計算部１０の詳細構成図である。
【００９０】
図面に示したように、本発明の一実施形態のオフセット電圧指令計算部１０は、第１の座標変換部１１、回転変換部１２、角変換部１３、第２の座標変換部１４及びオフセット電圧指令生成部１５を含んでいてもよい。
【００９１】
第１の座標変換部１１は、ａ、ｂ、ｃ相変数を静止座標系のｄ、ｑ軸変数に変換することができ、下記の数式１４のように示すことができる。
【００９２】
【数１５】
2019213442.tif 000039
【００９３】
従って、３相の相電圧指令は、第１の座標変換部１１によって、次の数式１５のようにｄ、ｑ軸電圧指令に変更されてもよい。
【００９４】
【数１６】
2019213442.tif 000040
【００９５】
2019213442.tif 000041
【００９６】
【数１７】
2019213442.tif 000042
【００９７】
2019213442.tif 000043
【００９８】
【数１８】
2019213442.tif 000044
【００９９】
第２の座標変換部１４は、ｄ、ｑ軸変数をａ、ｂ、ｃ相変数に座標変換することができ、次の数式１８のように示すことができる。
【０１００】
【数１９】
2019213442.tif 000045
【０１０１】
2019213442.tif 000046
【０１０２】
【数２０】
2019213442.tif 000047
【０１０３】
2019213442.tif 000048
【０１０４】
【数２１】
2019213442.tif 000049
【０１０５】
このとき、角変換部１３は、電圧と電流の位相差φを受信して、回転変換のために用いられる角情報を生成することができる。これについては、追ってより詳説する。
【０１０６】
2019213442.tif 000050
【０１０７】
図１０は、図９のオフセット電圧指令生成部１５の一実施形態である詳細構成図である。
【０１０８】
図面に示したように、本発明の一実施形態のオフセット電圧指令生成部１５は、第１の決定部３１、第２の決定部３２及び第３の決定部３３を含んでいてもよい。
【０１０９】
第１の決定部３１は、３相の相電圧指令の最大値及び最小値を次のように決定することができる。
【０１１０】
【数２２】
2019213442.tif 000051
【０１１１】
第２の決定部３２は、仮想の３相の相電圧指令の最大値及び最小値を次のように決定することができる。
【０１１２】
【数２３】
2019213442.tif 000052
【０１１３】
2019213442.tif 000053
【０１１４】
【数２４】
2019213442.tif 000054
【０１１５】
このように、本発明の一実施形態のオフセット電圧指令の生成は、３相の相電圧指令を用いることができる。
【０１１６】
2019213442.tif 000055
【０１１７】
2019213442.tif 000056
【０１１８】
2019213442.tif 000057
【０１１９】
2019213442.tif 000058
【０１２０】
2019213442.tif 000059
【０１２１】
2019213442.tif 000060
【０１２２】
2019213442.tif 000061
【０１２３】
2019213442.tif 000062
【０１２４】
2019213442.tif 000063
【０１２５】
2019213442.tif 000064
【０１２６】
2019213442.tif 000065
【０１２７】
2019213442.tif 000066
【０１２８】
2019213442.tif 000067
【０１２９】
このように、本発明は、電圧指令と電流の位相差と不連続電圧変調区間を調節するために用いられる不連続変調角を用いる。また、生成された仮想の電圧指令を用いることで、与えられた不連続電圧変調区間で力率に関係なく常に可能な最小損失を示すようにする。
【０１３０】
本発明の一実施形態によれば、実際の相電圧指令を回転変換を用いて仮想の相電圧指令を生成する。この回転変換に用いられた回転角は、電圧指令と電流の位相差と不連続変調角を用いて決定することができる。このように、仮想の相電圧指令と実際の相電圧指令及び不連続変調角を用いて電圧変調を行う。また、不連続変調区間を調節することによって、好適にスイッチング損失と電流のＴＨＤとのトレードオフを制御することができる。のみならず、与えられた不連続変調区間で力率に関係なく常に最小損失を示すようにすることができる。
【０１３１】
以上では、本発明による実施形態を説明したが、これは、例示的なものに過ぎないし、当該分野で通常の知識を有する者であれば、これから多様な変形及び均等な範囲の実施形態が可能である点を理解することができる。従って、本発明の真の技術的保護の範囲は、次の請求範囲によって定めるべきである。
【符号の説明】
【０１３２】
１０                オフセット電圧指令計算部
２０                極電圧指令計算部
１１、１４          座標変換部
１２                回転変換部
１３                角変換部
１５                オフセット電圧指令生成部
３１、３２、３３    決定部
【図１】
2019213442.tif 000074
【図２】
2019213442.tif 000075
【図３】
2019213442.tif 000076
【図４】
2019213442.tif 000077
【図５】
2019213442.tif 000078
【図６】
2019213442.tif 000079
【図７】
2019213442.tif 000080
【図８】
2019213442.tif 000081
【図９】
2019213442.tif 000082
【図１０】
2019213442.tif 000083
【図１１】
2019213442.tif 000084
【図１２】
2019213442.tif 000085
【図１３】
2019213442.tif 000086